【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
伝送端末を認証する伝送管理システムと通信する伝送端末であって、
識別情報に基づくログイン要求を送信することによって前記伝送管理システムに認証された場合に、前記伝送管理システムが送信した、前記識別情報に関連付けられた宛先候補の情報を受信する受信手段と、
前記受信手段によって受信された前記宛先候補の情報の選択を受け付ける操作入力受付手段と、
前記選択された前記宛先候補の情報に対応する他の伝送端末との間で画像データを送信又は受信するために、画像データを中継する中継装置に対して、被写体を撮像する撮像手段を用いて撮像することによって得られた第一の画像データを前記中継装置との間で確立された通信セッションを用いて送信する送信手段と、
を有し、
前記送信手段が前記第一の画像データを送信中に前記伝送管理システムにログインしていない外部入力装置が前記伝送端末と接続すると、前記受信手段は、前記外部入力装置が送信した、前記外部入力装置において取得された第二の画像データを受信し、
前記受信手段によって前記第二の画像データが受信されると、前記送信手段は、前記他の伝送端末で前記第一の画像データに加えて前記第二の画像データが表示可能となるように、前記通信セッションが確立されている前記中継装置に対して前記第二の画像データを送信する、
ことを特徴とする伝送端末。
【請求項２】
前記中継装置は複数の中継装置から選択された装置であり、
前記受信手段は、前記伝送管理システムが送信した、通信の開始を要求した前記他の伝送端末を識別するための端末識別情報を受信する、
ことを特徴とする請求項１に記載の伝送端末。
【請求項３】
前記受信手段は、
前記外部入力装置においてデータを取得するプログラムを実行する許可の要求を前記外部入力装置から受信し、前記要求を許可した場合に、前記外部入力装置において前記プログラムが実行されることによって、前記外部入力装置が送信した、前記外部入力装置において取得された前記第二の画像データを受信する、
ことを特徴とする請求項１又は２に記載の伝送端末。
【請求項４】
請求項３に記載の伝送端末であって、更に、
前記プログラムに係るデータを前記外部入力装置に対して送信する、
ことを特徴とする請求項３に記載の伝送端末。
【請求項５】
当該伝送端末と前記外部入力装置とが接続され、前記外部入力装置に前記プログラムがインストールされていない場合に、前記プログラムに係るデータを前記外部入力装置に対して送信する、
ことを特徴とする請求項４に記載の伝送端末。
【請求項６】
前記第二の画像データは、前記外部入力装置において表示された画面の画像データであることを特徴とする請求項１乃至５の何れか一項に記載の伝送端末。
【請求項７】
前記第二の画像データは、前記外部入力装置において表示された画面の所定の指定領域に対応する画像データであることを特徴とする請求項６に記載の伝送端末。
【請求項８】
前記伝送管理システムは、１以上のコンピュータによって構築されていることを特徴とする請求項１乃至７の何れか一項に記載の伝送端末。
【請求項９】
伝送端末を認証する伝送管理システムと通信する伝送端末が実行する伝送方法であって、
識別情報に基づくログイン要求を送信することによって前記伝送管理システムに認証された場合に、前記伝送管理システムが送信した、前記識別情報に関連付けられた宛先候補の情報を受信する受信ステップと、
前記受信ステップによって受信された前記宛先候補の情報の選択を受け付ける操作入力受付ステップと、
前記選択された前記宛先候補の情報に対応する他の伝送端末との間で画像データを送信又は受信するために、画像データを中継する中継装置に対して、被写体を撮像する撮像手段を用いて撮像することによって得られた第一の画像データを前記中継装置との間で確立された通信セッションを用いて送信する送信ステップと、
を有し、
前記送信ステップによって前記第一の画像データを送信中に前記伝送管理システムにログインしていない外部入力装置が前記伝送端末と接続すると、前記受信ステップは、前記外部入力装置が送信した、前記外部入力装置において取得された第二の画像データを受信する処理を実行し、
前記受信ステップによって前記第二の画像データが受信されると、前記送信ステップは、前記他の伝送端末で前記第一の画像データに加えて前記第二の画像データが表示可能となるように、前記通信セッションが確立されている前記中継装置に対して前記第二の画像データを送信する処理を実行する、
ことを特徴とする伝送方法。
【請求項１０】
伝送端末を認証する伝送管理システムと通信する伝送端末に、
識別情報に基づくログイン要求を送信することによって前記伝送管理システムに認証された場合に、前記伝送管理システムが送信した、前記識別情報に関連付けられた宛先候補の情報を受信する受信ステップと、
前記受信ステップによって受信された前記宛先候補の情報の選択を受け付ける操作入力受付ステップと、
前記選択された前記宛先候補の情報に対応する他の伝送端末との間で画像データを送信又は受信するために、画像データを中継する中継装置に対して、被写体を撮像する撮像手段を用いて撮像することによって得られた第一の画像データを前記中継装置との間で確立された通信セッションを用いて送信する送信ステップと、
を含み、
前記送信ステップによって前記第一の画像データを送信中に前記伝送管理システムにログインしていない外部入力装置が前記伝送端末と接続すると、前記受信ステップによって、前記外部入力装置が送信した、前記外部入力装置において取得された第二の画像データを受信する処理と、
前記受信ステップによって前記第二の画像データが受信されると、前記送信ステップによって、前記他の伝送端末で前記第一の画像データに加えて前記第二の画像データが表示可能となるように、前記通信セッションが確立されている前記中継装置に対して前記第二の画像データを送信する処理と、
を実行させる伝送用プログラム。
【請求項１１】
複数の伝送端末と、前記複数の伝送端末との間のデータを中継する中継装置と、を管理する伝送管理システムと、前記伝送管理システムと通信する伝送端末と、を備える伝送システムであって、
前記伝送管理システムは、
前記伝送端末から送信された識別情報に基づくログイン要求を受信することによって前記識別情報に基づく認証を行う認証手段と、
前記識別情報に関連付けられた宛先候補の情報を、前記識別情報を送信した伝送端末に送信する第一の送信手段と、
を有し、
前記伝送端末は、
被写体を撮像することによって第一の画像データを得る撮像手段と、
前記ログイン要求が前記伝送管理システムによって認証された場合に、前記第一の送信手段が送信した、前記識別情報に関連付けられた宛先候補の情報を受信する受信手段と、
前記受信手段によって受信された前記宛先候補の情報の選択を受け付ける操作入力受付手段と、
前記選択された前記宛先候補の情報に対応する他の伝送端末との間で画像データを送信又は受信するために、画像データを中継する中継装置に対して、前記撮像手段によって得られた前記第一の画像データを前記中継装置との間で確立された通信セッションを用いて送信する第二の送信手段と、
を有し、
前記第二の送信手段が前記第一の画像データを送信中に前記伝送管理システムにログインしていない外部入力装置が前記伝送端末と接続すると、前記受信手段は、前記外部入力装置が送信した、前記外部入力装置において取得された第二の画像データを受信し、
前記受信手段によって前記第二の画像データが受信されると、前記第二の送信手段は、前記他の伝送端末で前記第一の画像データに加えて前記第二の画像データが表示可能となるように、前記通信セッションが確立されている前記中継装置に対して前記第二の画像データを送信する、
ことを特徴とする伝送システム。
【請求項１２】
請求項１１に記載の伝送システムであって、更に、
前記複数の伝送端末から選択された前記他の伝送端末は、
前記第二の送信手段が送信した、前記第一の画像データ及び前記第二の画像データを受信する受信手段と、
前記受信手段によって受信された前記第一の画像データに係る第一の画像及び前記第二の画像データに係る第二の画像、並びに、前記他の伝送端末で撮像された第三の画像データに係る第三の画像を、表示手段に表示させる表示制御手段と、を有する、
ことを特徴とする伝送システム。
【手続補正２】
【補正対象書類名】明細書
【補正対象項目名】発明の名称
【補正方法】変更
【補正の内容】
【発明の名称】伝送端末、伝送方法、伝送用プログラム及び伝送システム
【手続補正３】
【補正対象書類名】明細書
【補正対象項目名】０００６
【補正方法】変更
【補正の内容】
【０００６】
請求項１に係る発明は、伝送端末を認証する伝送管理システムと通信する伝送端末であって、識別情報に基づくログイン要求を送信することによって前記伝送管理システムに認証された場合に、前記伝送管理システムが送信した、前記識別情報に関連付けられた宛先候補の情報を受信する受信手段と、前記受信手段によって受信された前記宛先候補の情報の選択を受け付ける操作入力受付手段と、前記選択された前記宛先候補の情報に対応する他の伝送端末との間で画像データを送信又は受信するために、画像データを中継する中継装置に対して、被写体を撮像する撮像手段を用いて撮像することによって得られた第一の画像データを前記中継装置との間で確立された通信セッションを用いて送信する送信手段と、を有し、前記送信手段が前記第一の画像データを送信中に前記伝送管理システムにログインしていない外部入力装置が前記伝送端末と接続すると、前記受信手段は、前記外部入力装置が送信した、前記外部入力装置において取得された第二の画像データを受信し、前記受信手段によって前記第二の画像データが受信されると、前記送信手段は、前記他の伝送端末で前記第一の画像データに加えて前記第二の画像データが表示可能となるように、前記通信セッションが確立されている前記中継装置に対して前記第二の画像データを送信する、ことを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】